(57)【特許請求の範囲】
【請求項１】
侵入検知を行うためのセンサと、該センサと配線接続され該センサの発報に応答して警報信号を出力する受信装置とを備えて成り、前記受信装置が、時刻データを発生させるための時刻データ発生手段と、前記センサの発報時における前記時刻データ発生手段からの時刻データを最新時刻データとして記憶しておくための手段と、前記最新時刻データを内容として含む保守用無線信号を所与の時間間隔で送出する無線送信手段とを備えている機械警備装置のための保守点検方法であって、
前記機械警備装置が設置されている施設の外部において前記保守用無線信号を受信し、受信された前記保守用無線信号より得られた前記最新時刻データの最新時刻からの経過時間に基づいて前記機械警備装置の状態を判別するようにしたことを特徴とする機械警備装置の保守点検方法。
【請求項２】
侵入検知を行うためのセンサと、該センサと配線接続され該センサの発報に応答して警報信号を出力する受信装置とを備えて成る機械警備装置のための保守点検方法であって、
前記受信装置側において、前記センサの最新の発報時刻を示す時刻データを最新時刻データとして記憶しておき、所与の時間間隔で該最新時刻データを保守用無線信号として無線出力し、
該保守用無線信号を前記機械警備装置の設置されている施設外で受信し、
受信された前記保守用無線信号より得られた前記最新時刻データの最新時刻からの経過時間に基づいて前記機械警備装置の状態を判別するようにした
ことを特徴とする機械警備装置の保守点検方法。
【発明の詳細な説明】
【０００１】
【発明の属する技術分野】
本発明は、機械警備装置及びその保守点検方法と装置に関するものである。
【０００２】
【従来の技術】
機械警備システムにおいては、一般に、不法侵入者があったことを電気的に検出するため、ドアセンサ、ガラス破壊センサ、超音波センサ又は遠赤外線を利用した焦電センサ等の侵入検知センサが従来から用いられてきている。これらの侵入検知センサは、通常、ワイヤによって警報装置と接続されており、侵入検知センサが発報した場合に、警報装置が作動し、電話線等を介して所定の監視センタに侵入警報信号が送られる構成となっている。
【０００３】
この種の機械警備システムの信頼性を高めるための定期的な保守点検は、警備会社にとっては必要不可欠であり、現状では、保守点検要員が２人１組で警備契約先建物等に立ち入って実際にセンサを発報させ、上記受信装置又は非常通報装置に設備されている表示灯によりシステムの動作の確認を行っている。
【０００４】
【発明が解決しようとする課題】
しかし、上述した従来の構成による場合、次のような問題点があった。
（１）センサに対する不正工作、例えば、遠赤外線検出センサへのカバーの取り付けによる監視視界遮蔽、マグネットスイッチの短絡等が行われた場合、保守点検時までセンサが実質的に機能しない状態となり、機械警備装置が正常に機能しなくなる。
（２）保守点検を実施する場合、２人１組となり、１人がセンサを故意に発報状態とし、残りの１人が表示灯の表示をチェックして動作を確認するという作業が必要となり、保守点検のコストが高くならざるを得ない。
（３）保守点検時に個人宅又は事務所、工場等の警備対象施設内に立ち入ることになるので、プライバシー保護の観点等から時間的に制約を受けたり、顧客からの拒否を受けたりするので、保守点検の作業効率が極めて悪く、最悪の場合には保守点検を行うことができないという事態も生じる。また、定期保守点検時以外にも、付近で落雷、侵入等の事件があったりした場合には臨時に保守点検を行う必要が生じる。しかし、予め予告して行う定期保守点検と異なり、臨時保守点検の場合には種々の理由で対象施設内に立ち入ることができず、ワイヤレスセンサに対する不正工作の発見のチャンスを逃し、ワイヤレスセンサに対する不正工作の発見が遅れてしまうという事態が生じる。
【０００５】
本発明の目的は、したがって、従来技術における上述の問題点を解決することができるようにした、機械警備装置及びその保守点検方法と装置を提供することにある。
【０００６】
本発明では、保守点検要員の省人化を図ることができ、機械警備装置が設置されている警備対象施設内に立ち入ることなくその保守点検作業を行うことができるようにした、機械警備装置及びその保守点検方法と装置を提供することを目的としている。
【０００７】
上記課題を解決するため、請求項１の発明によれば、侵入検知を行うためのセンサと、該センサと配線接続され該センサの発報に応答して警報信号を出力する受信装置とを備えて成り、前記受信装置が、時刻データを発生させるための時刻データ発生手段と、前記センサの発報時における前記時刻データ発生手段からの時刻データを最新時刻データとして記憶しておくための手段と、前記最新時刻データを内容として含む保守用無線信号を所与の時間間隔で送出する無線送信手段とを備えている機械警備装置のための保守点検方法であって、前記機械警備装置が設置されている施設の外部において前記保守用無線信号を受信し、受信された前記保守用無線信号より得られた前記最新時刻データの最新時刻からの経過時間に基づいて前記機械警備装置の状態を判別するようにしたことを特徴とする機械警備装置の保守点検方法が提案される。
【０００８】
このようにして保守用無線信号を出力すると、センサ及び受信装置の作動状態のチェックを行うことができるのは勿論、その内容に含まれる最新時刻データを利用してセンサが正常に機能しているか否かをもチェックすることができる。
【０００９】
すなわち、昼間人の出入りのある場所にセンサが設置してあれば、人の出入りの状態に応じた発報が適宜の時間間隔であるのが普通であり、したがって、保守用無線信号を受信して最新時刻データの内容をチェックすれば、センサが正常に機能しているか否かを容易にチェックすることができる。若し、何らかの不正工作がなされていれば、最新の発報時刻が数十時間前又は数日前などとなるので、最新時刻データの内容から不正工作の有無をチェックすることが可能である。ここで、時刻データとは、時、分、秒のみのデータでもよいが、これに年、月、日等のデータを適宜に加えたデータであってもよい。
【００１０】
請求項２の発明によれば、侵入検知を行うためのセンサと、該センサと配線接続され該センサの発報に応答して警報信号を出力する受信装置とを備えて成る機械警備装置のための保守点検方法であって、前記受信装置側において、前記センサの最新の発報時刻を示す時刻データを最新時刻データとして記憶しておき、所与の時間間隔で該最新時刻データを保守用無線信号として無線出力し、該保守用無線信号を前記機械警備装置の設置されている施設外で受信し、受信された前記保守用無線信号より得られた前記最新時刻データの最新時刻からの経過時間に基づいて前記機械警備装置の状態を判別するようにしたことを特徴とする機械警備装置の保守点検方法が提案される。
【００１３】
【発明の実施の形態】
以下、図面を参照して本発明の実施の形態の一例につき詳細に説明する。
【００１４】
図１は、本発明による機械警備装置の実施の形態の一例を示すブロック図である。
【００１５】
機械警備装置１は、警備対象施設である個人の住宅２内に設置されており、センサ装置３と、センサ装置３からの発報信号３１Ｂを受信する受信装置４と、受信装置４からの警報信号４Ａの出力に応答して非常通報信号５Ａを出力する非常通報装置５とを備えて成っている。
【００１６】
非常通報装置５は、警備開始・解除スイッチ５１を含んで成り、警備開始・解除スイッチ５１が警備開始に切り替えられている場合に受信装置４から警報信号４Ａが入力された場合、電話回線７を介して監視センタ６に対して所要の非常通報信号５Ａを送る公知の構成となっている。なお、警備開始・解除スイッチ５１が警備解除に切り替えられている場合には、受信装置４から警報信号４Ａが入力されても非常通報装置５は非常通報信号５Ａの送信を行わない。
【００１７】
センサ装置３は、人体から発している遠赤外線を利用して住宅２の室内に人がいるか否かを検出するための人体検知用のセンサとして構成された侵入検知センサ装置であり、焦電センサ３１Ａを含んで成る公知の構成のセンサユニット３１を有している。住宅２の室内に人がいる場合にはセンサユニット３１が発報して発報信号３１Ｂが出力され、発報信号３１Ｂは配線Ｗを介して受信装置４に入力される。なお、符号３２で示されるのは、センサユニット３１の作動に必要な電力を供給するための電源である。
【００１８】
受信装置４は、発報信号３１Ｂを処理するためマイクロコンピュータを用いて構成される受信信号処理ユニット４１を備えており、受信信号処理ユニット４１には、信号出力回路４２及びインターフェイス回路４３が接続されている。受信信号処理ユニット４１に発報信号３１Ｂが入力された場合、受信信号処理ユニット４１からの指令により信号出力回路４２から非常通報装置５に警報信号４Ａが送られる。
【００１９】
受信信号処理ユニット４１は、時刻データを出力する時刻データ発生部４１Ｔを備えており、時刻データ発生部４１Ｔからは時の流れの一点を特定するためのデータが出力される。すなわち、ここで時刻データとは、時、分、秒の単位でのデータのみならず、年、月、日の単位でのデータをも含むものである。本実施の形態では、月、日、時、分、秒を含んでいるが、これに限定されず、例えば曜日のデータを含んでいてもよい。
【００２０】
受信信号処理ユニット４１は、センサ装置３から発報信号３１Ｂを受け取った場合、その入力時点における時刻データ発生部４１Ｔからの時刻データをセンサユニット３１の発報時刻を示す発報時刻データ４１Ａとして出力し、これを最新時刻データＴＤとして時刻データメモリ４４に格納する。すなわち、受信装置４は、センサ装置３のセンサユニット３１の発報に応答しセンサユニット３１の発報毎に発報時における時刻データ発生部４１Ｔからの時刻データを最新時刻データＴＤとして記憶しておくための手段を有している。
【００２１】
このように、受信信号処理ユニット４１からは、センサ装置３が発報する度に発報時刻データ４１Ａが時刻データメモリ４４に出力され、時刻データメモリ４４内には、常に最新の発報時刻データ４１Ａが最新時刻データＴＤとして格納される。すなわち、ある時点で時刻ｔｎを内容とする発報時刻データ４１Ａが出力されると、時刻データメモリ４４内に既に格納されている時刻ｔｎ−１を内容とする最新時刻データＴＤは消去され、時刻ｔｎを内容とする発報時刻データ４１Ａが最新時刻データＴＤとして時刻データメモリ４４内に格納されることになる。
【００２２】
受信信号処理ユニット４１は、さらに、センサ装置３及び受信装置４が正常に作動していることを適宜の時間間隔で確認することができるようにする目的で、所定の時間間隔、例えば１０分間隔で保守用信号４１Ｂを出力する。本実施の形態にあっては、保守用信号４１Ｂは、機械警備装置１に対して付与されている識別ＩＤと、そのとき時刻データメモリ４４に格納されている最新時刻データＴＤとから成っている。この保守用信号４１Ｂはインターフェイス回路４３を介して取り出され、保守用送信ユニット９に入力される。
【００２３】
保守用送信ユニット９は、保守用信号４１Ｂが入力されたことに応答して起動され、保守用信号４１Ｂを内容とした保守用無線信号ｆを出力する。保守用無線信号ｆは保守用送信ユニット９に接続されたアンテナ９１から送信される。この保守用無線信号ｆの出力電力は住宅２の外部において受信できるような適宜の強度に設定されている。
【００２４】
したがって、保守用無線信号ｆを受信することにより、最新時刻データＴＤを入手してセンサ装置３における最新の発報時刻を知り、これにより、センサ装置３が正常に機能しているか否か、及び受信装置４が正常に作動しているか否かを住宅２内に立ち入ることなく、住宅２の外側でチェックすることができる。
【００２５】
すなわち、昼間人の出入りのある場所にセンサ装置３が設置してあれば、人の出入りの状態に応じた発報が適宜の時間間隔であるのが普通であり、したがって、保守用無線信号ｆを受信して最新時刻データＴＤの内容をチェックすれば、センサ装置３が正常に機能しているか否かを受信装置４の機能チェックを含めて容易にチェックすることができる。若し、センサ装置３に対し監視視界隠蔽の如き何らかの不正工作がなされていれば、最新の発報時刻が数十時間前又は数日前などとなるので、最新時刻データＴＤの内容から不正工作の有無をチェックすることが可能である。すなわち、例えば、電源を切断するなど受信装置４に対する不正な工作をしても、これをチェックすることが可能となる。さらに、受信信号処理ユニット４１、インターフェイス回路４３、及び保守用送信ユニット９のいずれかの故障による障害の発生のチェックも可能である。
【００２６】
インターフェイス回路４３は、また、保守作業者が携帯している小型のコンピュータ８を接続することにより、受信信号処理ユニット４１内の各種データをインターフェイス回路４３を介してコンピュータ８に取り出し、又はコンピュータ８から受信信号処理ユニット４１に各種のコマンドを送ることもできる構成となっている。
【００２７】
符号４５で示されるのは、受信信号処理ユニット４１において得られた各種データを格納しておくためのデータメモリ、４６は受信装置４の各部に所要の電力を供給するための電源回路である。
【００２８】
図２は、マイクロコンピュータを用いて構成されている受信信号処理ユニット４１が所要の処理機能を果たすようにプログラムされ受信信号処理ユニット４１で実行される受信信号処理プログラムを示すフローチャートである。
【００２９】
図２を参照して、受信信号処理ユニット４１の動作について説明する。信号処理プログラムが起動されると、ステップＳ１で発報信号３１Ｂが入力されたか否かが判別される。発報信号３１Ｂが入力されていないと判別された場合、ステップＳ１の判別結果はＮＯとなり、ステップＳ２で保守用信号４１Ｂの送信時刻か否かが判別される。保守用信号４１Ｂの送信時刻が未だきていないと判別された場合、ステップＳ２の判別結果はＮＯとなり、ステップＳ１に戻り、上述の処理が繰り返される。
【００３０】
ステップＳ１で発報信号３１Ｂが入力されたと判別されると、ステップＳ１の判別結果はＹＥＳとなり、ステップＳ３に進み、ここで時刻データ発生部４１Ｔからのその時の時刻データを発報時刻データ４１Ａとしてデータメモリ４５内に一時的に格納する。
【００３１】
次に、ステップＳ４で時刻データメモリ４４にすでに最新時刻データＴＤが記憶されているか否かが判別される。時刻データメモリ４４に最新時刻データＴＤが記憶されていないと判別された場合にはステップＳ４の判別結果はＮＯとなり、ステップＳ６に入り、ここで、時刻データメモリ４４にステップＳ３で得られた発報時刻データ４１Ａを最新時刻データＴＤとして書き込む。
【００３２】
一方、ステップＳ４で時刻データメモリ４４にすでに最新時刻データＴＤが記憶されていると判別された場合には、ステップＳ４の判別結果はＹＥＳとなり、ステップＳ５で時刻データメモリ４４の内容をクリアしてからステップＳ６に入り、ここで、時刻データメモリ４４にステップＳ３で得られた発報時刻データ４１Ａを最新時刻データＴＤとして書き込む。この結果、時刻データメモリ４４には、常に、センサ装置３の最新の発報時刻を示すデータが記憶されていることになる。
【００３３】
そして、ステップＳ７に入り、ここで、非常通報装置５に警報信号４Ａを出力する処理を行った後、ステップＳ１に戻る。
【００３４】
一方、ステップＳ１において発報信号３１Ｂが入力されていないと判別された場合には、ステップＳ１の判別結果はＮＯとなり、このときステップＳ２で保守用信号４１Ｂの送信時刻であると判別された場合、ステップＳ２の判別結果はＹＥＳとなり、ステップＳ８に入る。ステップＳ８では、時刻データメモリ４４から最新時刻データＴＤが読み出され、次のステップＳ９で、識別ＩＤ及びステップＳ８で読み出された最新時刻データＴＤが用意され、これらに基づいて保守用信号４１Ｂが作成される。
【００３５】
次のステップＳ１０では、このようにして作成された保守用信号４１Ｂを、インターフェイス回路４３を介して保守用送信ユニット９に送るための処理を行い、しかる後、ステップＳ１に戻る。
【００３６】
以上説明したように、センサ装置３から発報信号３１Ｂが出力される度に、受信装置４においてその発報時刻を示すデータが最新時刻データとして記憶され、所定の時間間隔でこの最新の発報時刻を示す最新時刻データＴＤを含む保守用信号４１Ｂを出力し、この保守用信号４１Ｂを内容とする保守用無線信号ｆを保守用送信ユニット９から無線出力するようにしたので、保守用無線信号ｆに含まれる最新時刻データＴＤを住宅２内に立ち入ることなく住宅２の外側にてチェックすることができる。
【００３７】
このように、保守用送信ユニット９からは保守用信号４１Ｂを内容とする保守用無線信号ｆが無線送信出力され、保守用無線信号ｆを住宅２の外側において傍受可能である。したがって、保守用無線信号ｆを住宅２の外側で受信し、保守用信号４１Ｂを得、保守用信号４１Ｂに含まれる最新時刻データＴＤの内容を分析すれば、センサ装置３及び受信装置４の保守点検を住宅２内に立ち入らずに行うことができる。したがって、住宅２内に家人が居る居ないに拘らず、いつでも機械警備装置１の保守点検を行うことが可能となるので、住宅２の居住者のプライバシーの保護に役立つのは勿論、その保守点検の作業能率を飛躍的に向上させることができる。
【００３８】
また、上述の保守点検は１人で十分に行うことができるので、省人化を図ることもでき、保守点検コストを大幅に低減させることができる。
【００３９】
図１に示した機械警備装置１は、発報信号３１Ｂの最新発報時刻を示す最新時刻データＴＤを受信装置４内において記憶しておき、受信装置４から例えば一定時間間隔でこの最新時刻データＴＤを内容に含む保守用信号４１Ｂを出力し、これを保守用送信ユニット９から保守用無線信号ｆとして無線出力している。この保守用無線信号ｆは上述のように、受信装置４を経由して出力されているので、保守用無線信号ｆを利用すれば、センサ装置３のみならず、受信装置４の作動が正常か否かもチェックすることができる。したがって、例えば、受信装置４に不正な工作をしてもこれをチェックすることが可能である。
【００４０】
図３には、機械警備装置１の保守点検を住宅２の外部にて行うのに好適な保守点検装置の実施の形態の一例がブロック図で示されている。
【００４１】
図３に示される保守点検装置８０において、８１はアンテナ、８２は受信ユニットで、保守用無線信号ｆを受信し、保守用信号４１Ｂを出力することができるように構成されている。
【００４２】
保守用処理ユニット８３には、データメモリ８４、ＩＤ入力ユニット８５及び表示ユニット８６が接続されている。ＩＤ入力ユニット８５は、チェックしたい受信装置４の識別ＩＤを入力するためのものである。ＩＤ入力ユニット８５から入力された所要の識別ＩＤは、保守用処理ユニット８３で受信した保守用信号４１Ｂに含まれる識別ＩＤと照合される。両識別ＩＤが一致すると、保守用信号４１Ｂに含まれている識別ＩＤを含む全てのデータ内容が表示ユニット８６上に表示される。したがって、操作者はここに表示された最新時刻データＴＤの内容からセンサ装置３の動作状態を判別することができ、また、機械警備装置１全体の動作もチェックすることができる。保守点検結果はデータメモリ８４にストアすることができる。符号８７は、各部に所要の電力を供給するための電池である。
【００４３】
保守用処理ユニット８３には、インターフェイス回路８８が接続されており、保守用処理ユニット８３での処理結果をプリンタ８９で印字することができる。また、インターフェイス回路８８にはパーソナルコンピュータを接続してデータのやりとりをすることも可能である。さらに、プリンタ８９に代えて、又はプリンタ８９に加えてＬＣＤ表示器９０を設け、保守用処理ユニット８３での処理結果をＬＣＤ表示器９０で表示できるように構成してもよい。
【００４４】
保守用処理ユニット８３は、マイクロコンピュータを用いて構成されており、保守用処理ユニット８３において実行される上述の処理動作は、予めセットされている保守用処理プログラムを中央演算処理装置で実行することにより実現される。
【００４５】
図４は、保守用処理ユニット８３において実行される保守用処理プログラムを示すフローチャートである。以下、図４を参照して保守用処理プログラムに従う保守用処理ユニット８３の動作について説明する。
【００４６】
まず、ステップＳ５１において、受信ユニット８２より出力があったか否かが判別される。受信ユニット８２より出力がなかったと判別された場合、ステップＳ５１の判別結果はＮＯとなり、再びステップＳ５１の処理が行われる。ステップＳ５１で受信ユニット８２より出力があったと判別されると、ステップＳ５１の判別結果はＹＥＳとなり、ステップＳ５２で受信データをデータメモリ８４に格納した後ステップＳ５３に入る。
【００４７】
ステップＳ５３では、ＩＤ入力ユニット８５より識別ＩＤの入力があったか否かが判別される。ＩＤ入力ユニット８５より識別ＩＤの入力がなかったと判別された場合、ステップＳ５３の判別結果はＮＯとなり、再びステップＳ５３の処理が行われる。ステップＳ５３でＩＤ入力ユニット８５より識別ＩＤの入力があったと判別されると、ステップＳ５３の判別結果はＹＥＳとなり、ステップＳ５４で入力された識別ＩＤをメモリした後ステップＳ５５に入る。
【００４８】
ステップＳ５５では、受信した識別ＩＤに基づいて登録ワイヤレスセンサ装置からの信号であるか否かが判別される。登録ワイヤレスセンサ装置からの信号でないと判別された場合はステップＳ５５の判別結果はＮＯとなり、ステップＳ５８に入り、ここでステップＳ５２でメモリされた受信データをクリアした後、ステップＳ５１に戻る。
【００４９】
一方、ステップＳ５５において、受信した信号が登録ワイヤレスセンサ装置、すなわちワイヤレスセンサ装置３からの信号であると判別された場合には、ステップＳ５５の判別結果はＹＥＳとなり、ステップＳ５６に入る。
【００５０】
ステップＳ５６では、動作確認コードが受信されているか否かが判別される。動作確認コードが受信されていないと判別された場合、ステップＳ５６の判別結果はＮＯとなり、ステップＳ５８に入り、ここでステップＳ５２でメモリされた受信データをクリアした後、ステップＳ５１に戻る。
【００５１】
ステップＳ５６で動作確認コードが受信されていると判別された場合には、ステップＳ５６の判別結果はＹＥＳとなり、ステップＳ５７に進む。ステップＳ５７では、ステップＳ５２でデータメモリ８４に格納された最新時刻データＴＤをデータメモリ８４から読み出し、読み出された最新時刻データＴＤをインターフェイス回路８８を介してプリンタ８９に送り、プリンタ８９で最新時刻データＴＤにより示される時刻、すなわち最新発報時刻を印刷する。この場合、既に述べたように、インターフェイス回路８８にＬＣＤ表示器９０を接続しておき、この最新発報時刻をＬＣＤ表示器９０で表示する構成としてもよい。勿論、両者を併用し、最新発報時刻をプリンタ８９で印刷すると共にＬＣＤ表示器９０で表示するようにしてもよい。しかる後、ステップＳ５８に入り、ここでステップＳ５２でメモリされた受信データをクリアした後、ステップＳ５１に戻る。
【００５２】
このように、保守点検装置８０を用いれば、機械警備装置１の保守点検作業を住宅２の外部において住宅２に立ち入ることなしに行うことができる。すなわち、保守点検作業を住宅２の居住者の都合とは関係なく保守点検作業者の都合の良い時に行うことができる。したがって、定期保守点検時以外にも、付近で落雷、侵入等の事件があったりした場合に行う臨時保守点検の際に、その警備対象施設である住宅２内への立ち入りが種々の理由でできない場合であっても、住宅２の外側で保守点検作業を行うことができるので、もしセンサ装置３或いは受信装置４に対して不正工作が行われていた場合には、定期保守点検を待つことなくこれを発見することができる。すなわち、機械警備装置１に対する不正工作を早期に発見するのに役立つ。
【００５３】
上記保守作業は、保守用無線信号ｆを受信して行うので、センサ装置３のみならず受信装置４の作動状態も併せてチェックすることができるので、より信頼性の高い機械警備装置１の機能チェックを行うことができる。
【００５４】
さらに、上述の如く、住宅２に立ち入ることなく保守用無線信号ｆを受信してセンサ装置３の発報状態を知ることができるので、次のような効果も期待できる。すなわち、機械警備システム１が警備開始状態にある場合にセンサ装置３が発報し、これにより警備員が現場に出動した場合、保守点検装置８０を携帯していれば、これを用いてセンサ装置３のそのときの発報状態を住宅２内に入ることなく知ることができるので、住宅２内に侵入者がまだ居るか否かを判別することが可能となり、警備員の受傷事故防止に大きく貢献することができる。
【００５５】
以上、本発明の実施の形態の一例について説明したが、本発明の技術的範囲はこの一実施の形態の構成に限定されるものではない。本発明による機械警備装置１は、個人住宅を対象としたホームセキュリティのシステムのほか、一般のテナントビル、工場、銀行、商店などあらゆる警備対象施設に対しても同様にして設置することができ、同様の効果を得ることができるのは勿論である。
【００５６】
また、図１に示した実施の形態では、センサ装置３を１つだけ設けた場合の例を示したが、勿論、センサ装置３を複数個設置するような機械警備装置においても同様に適用することができる。
【００５７】
さらに、図１の場合は、センサ装置として焦電センサを用いた侵入検知センサ装置の例を示したが、センサユニット３１をマグネットスイッチとしたドアセンサ、又は振動センサを用いたガラス破壊センサの場合にあっても同様に本発明を適用でき、同様の効果を得ることができる。
【００５８】
【発明の効果】
本発明によれば、上述の如く、センサからの発報情報を受信装置で受信する毎にセンサの最新の発報時刻を示す最新時刻データを記憶しておき、該最新時刻データを含む保守用無線信号を無線送信手段から所与の時間間隔で送出するようにしたので、この保守用無線信号を警備対象施設の外側にて受信し、所定時間毎に送られてくる最新時刻データをチェックすることにより、センサから受信装置までの機能が正常に作動しているかどうかをチェックすることができる。
【００５９】
このように、保守用無線信号を警備対象施設の外側で受信し、センサの最新発報時刻を示す最新時刻データの内容を分析すれば、機械警備装置の保守点検を警備対象施設内に立ち入らずに行うことができる。したがって、警備対象施設内に人が居る居ないに拘らず、いつでも機械警備装置の保守点検を行うことが可能となるので、プライバシーの保護に役立つのは勿論、その保守点検の作業能率を飛躍的に向上させることができる。
【００６０】
さらに、定期保守点検時以外にも、付近で落雷、侵入等の事件があったりした場合に行う臨時保守点検の際に、その警備対象施設内への立ち入りが種々の理由でできない場合であっても、警備対象施設の外側で保守用無線信号を受信することにより警備対象施設内へ入ることなく保守点検作業を迅速且つ能率良く行うことができるので、もしセンサ或いは受信装置などに対して不正工作が行われていた場合には、定期保守点検を待つことなくこれを発見することができる。すなわち、センサ或いは受信装置などに対する不正工作を早期に発見するのに役立つ。
【００６１】
保守点検装置を用いることにより、警備対象施設に立ち入ることなく保守用無線信号を受信してセンサの発報状態を知ることができるので、発報通報により警備員が現場に出動した場合、保守点検装置を用いてセンサのそのときの発報状態を警備対象施設内に入ることなく知ることができ、警備対象施設内に侵入者がまだ居るか否かを警備対象施設に警備員が入る前に判別することが可能となり、警備員の受傷事故防止に大いに役立つ。
【００６２】
また、上述の保守点検は１人で十分に行うことができるので、省人化を図ることもでき、保守点検コストを大幅に低減させることができる。
【図面の簡単な説明】
【図１】本発明による機械警備装置の実施の形態の一例を示すブロック図。
【図２】図１の受信信号処理ユニットにおいて実行される信号処理プログラムを示すフローチャート。
【図３】図１の機械警備装置の保守点検を住宅の外側から行うための保守点検装置の実施の形態の一例を示すブロック図。
【図４】図３の保守点検装置の保守用処理ユニットにおいて実行される保守用処理プログラムを示すフローチャート。
【符号の説明】
１  機械警備装置
２  住宅
３  センサ装置
４  受信装置
４Ａ  警報信号
５  非常通報装置
５Ａ  非常通報信号
６  監視センタ
７  電話回線
８  コンピュータ
９  保守用送信ユニット
３１  センサユニット
３１Ｂ  発報信号
４１  受信信号処理ユニット
４１Ａ  発報時刻データ
４１Ｂ  保守用信号
４１Ｔ  時刻データ発生部
４４  時刻データメモリ
４５  データメモリ
８０  保守点検装置
８２  受信ユニット
８３  保守用処理ユニット
８５  ＩＤ入力ユニット
８６  表示ユニット
８９  プリンタ
ＴＤ  最新時刻データ
ｆ  保守用無線信号
【図１】
0004116162.tif 000002
【図２】
0004116162.tif 000003
【図３】
0004116162.tif 000004
【図４】
0004116162.tif 000005